(57)【要約】【課題】操作部材の移動末端での信号の検出が行えると共に、操作性の良好な多方向入力装置を提供する。【解決手段】本発明の多方向入力装置は、Ｘ，Ｙ方向にスライド移動可能な操作部材２３と、この操作部材２３のＸ方向の移動によって操作されるＸ方向検出部材１７と、操作部材２３のＹ方向の移動によって操作されるＹ方向検出部材１８と、操作部材２３の移動範囲の末端、或いは末端近傍の位置で操作される末端検出部材２１，２２とを備え、移動範囲の末端、或いは末端近傍に操作部材２３が移動した時には、末端検出部材２１，２２が操作されるようにしたため、操作部材２３の移動範囲の末端近傍の位置で、信号を検出できて、この検出を種々の機能に利用できる。【選択図】　　　　図１
2004021790.tif 000002
【特許請求の範囲】
【請求項１】
ハウジングと、このハウジングに対して平面的にＸ，Ｙ方向にスライド移動可能な操作部材と、この操作部材のＸ方向の移動によって操作されるＸ方向検出部材と、前記操作部材のＹ方向の移動によって操作されるＹ方向検出部材と、前記操作部材の移動範囲の末端、或いは末端近傍の位置で操作される末端検出部材とを備え、前記操作部材の操作時には、前記Ｘ方向、Ｙ方向検出部材が操作されると共に、前記移動範囲の末端、或いは末端近傍に前記操作部材が移動した時には、前記末端検出部材が操作されるようにしたことを特徴とする多方向入力装置。
【請求項２】
Ｘ方向にスライド可能なＸ方向スライド部材と、このＸ方向スライド部材に直交した状態で交差し、Ｙ方向にスライド可能なＹ方向スライド部材とを備え、前記Ｘ方向、Ｙ方向スライド部材は、前記操作部材の移動に追従して可動し、前記Ｘ方向、Ｙ方向スライド部材の移動によって、前記Ｘ方向検出部材と前記Ｙ方向検出部材、及び前記末端検出部材が操作されるようにしたことを特徴とする請求項１記載の多方向入力装置。
【請求項３】
前記末端検出部材は、第１，第２検出部材を有し、前記第１検出部材は、前記操作部材のＸ方向の移動による検出を行うと共に、前記第２検出部材は、前記操作部材のＹ方向の移動による検出を行い、前記第１，第２検出部材は、互いに直角状態で配置されると共に、前記Ｘ方向、Ｙ方向検出部材が互いに直角状態に配置されて、前記第１，第２検出部材、及び前記Ｘ方向、Ｙ方向検出部材は、前記操作部材の移動によって操作されるようにしたことを特徴とする請求項２記載の多方向入力装置。
【請求項４】
前記Ｘ方向スライド部材の一端側には前記Ｘ方向検出部材が配設されると共に、前記Ｘ方向スライド部材の他端側には前記第１検出部材が配設され、また、前記Ｙ方向スライド部材の一端側には前記Ｙ方向検出部材が配設されると共に、前記Ｙ方向スライド部材の他端側には前記第２検出部材が配設されたことを特徴とする請求項３記載の多方向入力装置。
【請求項５】
前記Ｘ方向、Ｙ方向検出部材は、それぞれ検出素子を設けた絶縁基板と、前記検出素子上を摺動する摺動子とで構成され、前記絶縁基板と前記摺動子の何れか一方が前記ハウジングに取り付けられ、他方が前記Ｘ方向、Ｙ方向スライド部材側に取り付けられたことを特徴とする請求項２から４の何れかに記載の多方向入力装置。
【請求項６】
前記Ｘ方向、Ｙ方向スライド部材側には、前記絶縁基板が取り付けられて、前記絶縁基板が前記Ｘ方向、Ｙ方向スライド部材と共に移動し、前記ハウジングには、前記検出素子上を摺動する前記摺動子が取り付けられたことを特徴とする請求項５記載の多方向入力装置。
【請求項７】
前記末端検出部材は、検出素子を設けた絶縁基板と、前記検出素子上を摺動する摺動子とで構成され、前記絶縁基板と前記摺動子の何れか一方が前記ハウジングに取り付けられ、他方が前記Ｘ方向、Ｙ方向スライド部材側に取り付けられたことを特徴とする請求項２から６の何れかに記載の多方向入力装置。
【請求項８】
前記Ｘ方向、Ｙ方向スライド部材側には、前記絶縁基板が取り付けられて、前記絶縁基板が前記Ｘ方向、Ｙ方向スライド部材と共に移動し、前記ハウジングには、前記検出素子上を摺動する前記摺動子が取り付けられたことを特徴とする請求項７記載の多方向入力装置。
【請求項９】
前記操作部材は、ダンパー部材を介して移動が停止するようにしたことを特徴とする請求項１から８の何れかに記載の多方向入力装置。
【請求項１０】
前記ダンパー部材は、前記操作部材に設けられたバネ部材で構成され、前記バネ部材は、前記操作部材の移動範囲の末端近傍の位置で前記ハウジングに当接してから前記操作部材が停止するまでの間において変位するようにしたことを特徴とする請求項９記載の多方向入力装置。
【請求項１１】
前記ダンパー部材は、前記ハウジングに設けられたバネ部材で構成され、前記バネ部材は、前記操作部材の移動範囲の末端近傍の位置で前記操作部材、或いは前記Ｘ方向、Ｙ方向スライド部材側に当接してから前記操作部材が停止するまでの間において変位するようにしたことを特徴とする請求項９記載の多方向入力装置。
【請求項１２】
前記操作部材には、軸線方向に移動可能な操作部を設けると共に、この操作部の軸線方向の移動によって操作される押圧検出部材を備えたことを特徴とする請求項１から１１の何れかに記載の多方向入力装置。
【請求項１３】
前記Ｘ方向、Ｙ方向スライド部材の上方を覆うカバーを有し、このカバーに設けた孔から前記操作部材の操作部が外方に突出すると共に、前記カバーと前記Ｘ方向、Ｙ方向スライド部材との間には、前記孔を塞ぐ板状部材と、この板状部材の後方に位置する板状の防塵部材とを配置し、前記防塵部材には、前記操作部の周囲を囲んだ状態で、前記板状部材の後面に当接する環状の凸条部を設けたことを特徴とする請求項１から１２の何れかに記載の多方向入力装置。
【発明の詳細な説明】
【０００１】
【発明の属する技術分野】
本発明はゲーム機器等の電子機器に使用される多方向入力装置に関する。
【０００２】
【従来の技術】
従来の多方向入力装置の図面を説明すると、図２６は従来の多方向入力装置の分解斜視図、図２７は従来の多方向入力装置に係り、操作部材の構成を示す断面図、図２８は従来の多方向入力装置に係り、操作部材が中央部に位置した状態における操作部材と固定接点パターンとの関係を示す要部平面図、図２９は従来の多方向入力装置に係り、操作部材が中央部から移動した状態における操作部材と固定接点パターンとの関係を示す要部平面図、図３０は従来の多方向入力装置に係り、絶縁基板の裏面図である。
【０００３】
次に、従来の多方向入力装置の構成を図２６〜図３０に基づいて説明すると、絶縁樹脂の成型品からなる箱形のハウジング５１は、底壁５１ａと、この底壁５１ａから上方に延びる側壁５１ｂとを有する。
このハウジング５１の底壁５１ａ上には、平面的な導電パターンからなる互いに分離した一対の固定接点パターン５２，５３が設けられると共に、この一対の固定接点パターン５２，５３は、側壁５１ｂ外に延びる引き出し部５２ａ、５３ａが設けられている。
【０００４】
板材からなるカバー５４は、中央部に四角状の孔５４ａを有し、このカバー５４は、ハウジング５１の上方の開放部を覆うように、ハウジング５１に取り付けられ、このカバー５４とハウジング５１とによって、一つの筺体が形成されている。
【０００５】
絶縁基板５５は、中央部に四角状の孔５５ａを有すると共に、この絶縁基板５５の下面には、図３０で示すように、Ｘ方向検出部材５６と、このＸ方向検出部材５６と直角方向に配置されたＹ方向検出部材５７とが設けられている。
そして、Ｘ方向、Ｙ方向検出部材５６，５７は、それぞれ２個のパルス用パターン５６ａ、５７ａと、１個のコモン用パターン５６ｂ、５７ｂとからなる検出素子５６ｃ、５７ｃで構成されている。
そして、この絶縁基板５５は、Ｘ方向、Ｙ方向検出部材５６，５７を下方にして、筺体内に固定されている。
【０００６】
絶縁材からなるＸ方向スライド部材５８は、中心部の長手方向に長孔５８ａを有し、このＸ方向スライド部材５８は、Ｘ方向にスライド移動可能に、ハウジング５１と絶縁基板５５間に取り付けられいる。
また、絶縁材からなるＹ方向スライド部材５９は、中心部の長手方向に長孔５９ａを有し、このＹ方向スライド部材５９は、Ｙ方向にスライド移動可能に、ハウジング５１と絶縁基板５５間に取り付けられている。
【０００７】
そして、Ｘ方向、Ｙ方向スライド部材５８，５９は、互いに直交した状態で交差状態で配置され、Ｘ方向、Ｙ方向スライド部材５８，５９のそれぞれの一端側には、バネ性ある金属板からなる摺動子６０，６１が取り付けられている。
この摺動子６０，６１は、それぞれＸ方向、Ｙ方向スライド部材５８，５９の移動と共に可動して、それぞれ検出素子５６ｃ、５７ｃ上を摺動する。
その結果、Ｘ方向、Ｙ方向検出部材５６，５７によって信号が検出され、Ｘ、Ｙ方向の座標が検出されるようになる。
【０００８】
操作部材６２は、絶縁樹脂の成型品からなる保持体６３と、この保持体６３に取り付けられた操作部６４とで構成されている。
また、保持体６３は、四角状の鍔状部６３ａと、この鍔状部６３ａから上方に延びる筒状部６３ｂと、鍔状部６３ａの四方に設けられた４個の弾性腕部６３ｃとで構成されおり、そして、筒状部６３ｂにおいて、操作部６４が軸線方向に移動可能に取り付けられている。
【０００９】
また、このような操作部材６２は、鍔状部６３ａが固定接点パターン５２，５３と、下方に位置するＸ方向スライド部材５８との間に位置すると共に、操作部６４がＸ方向、Ｙ方向スライド部材５８，５９の交差する長孔５８ａ、５９ａと、絶縁基板５５の孔５５ａ、及びカバー５４の孔５４ａを通って外方に突出している。
【００１０】
そして、この操作部材６２は、ハウジング５１に対して平面的にＸ、Ｙ方向にスライド移動可能となっており、操作部材６２が移動すると、Ｘ方向、Ｙ方向スライド部材５８，５９を引っかけて、Ｘ方向、Ｙ方向スライド部材５８，５９が操作部材６２の移動に追従して可動し、Ｘ方向、Ｙ方向検出部材５６，５７が操作されるようになる。
【００１１】
また、操作部材６２の移動範囲の末端近傍においては、弾性腕部６３ｃがハウジング５１の側壁５１ｂに当接して、ハウジング５１に対する操作部材６２の衝撃を軟らかくしている。
【００１２】
プッシュ型のスイッチ６５は、特に図２７に示すように、一対の摺動接点６６、６７と、この一対の摺動接点６６，６７間をＯＮ、ＯＦＦするドーム状の可動接点６８とで構成されている。
この一対の摺動接点６６，６７は、それぞれ接触部６６ａ、６７ａと、この接触部６６ａ、６７ａを支持する板状の支持部６６ｂ、６７ｂと、この支持部６６ｂ、６７ｂに繋がれた接点部６６ｃ、６７ｃとを有する。
【００１３】
そして、一対の摺動接点６６，６７は、保持体６３に埋設して取り付けられ、接触部６６ａ、６７ａが下方に突出した状態で、板状の支持部６６ｂ、６７ｂが保持体６３の下面に露出すると共に、接点部６６ｃ、６７ｃが筒状部６３ｂの底面に露出した状態となっている。
【００１４】
また、可動接点６８は、操作部６４によって押圧可能に筒状部６３ｂ内に収納されて、周辺部が接点部６６ｃに常時接触すると共に、中央部が接点部６７ｃに接離可能に配置されており、操作部６４が押圧された際、可動接点６８が変形して、中央部が接点部６７ｃに接触して、一対の摺動接点６６，６７間をＯＮ状態とし、また、操作部６４の押圧を解除すると、可動接点５８は自己のバネ性により元の状態に戻って、一対の摺動接点６６，６７間がＯＦＦの状態となる。
【００１５】
このような構成を有するスイッチ６５は、操作部材６２が筺体に取り付けられた際、板状の支持部６６ｂ、６７ｂがそれぞれ固定接点パターン５２，５３と近接した状態で対向すると共に、接触部６６ａ、６７ａがそれぞれ固定接点パターン５２，５３に接触した状態となる。
【００１６】
そして、一方の接触部６６ａは、操作部材６２の移動範囲内において、一方の固定接点パターン５２との接触が離れることが無く、また、他方の接触部６７ａは、操作部材６２の移動範囲内において、他方の固定接点パターン５３との接触が離れることが無いようになっており、このため、操作部材６２の移動範囲内においては、スイッチ６５のＯＮ、ＯＦＦの信号が引き出し部５２ａ、５３ａから引き出せるようになっている。
【００１７】
板材からなる板状部材６９は、第１，第２板部７０，７１で構成され、第１板部７０は、カバー５４と絶縁基板５５の孔５４ａ、５５ａより大きな外形を有し、中央部に操作部６４と同等の大きさの孔７０ａが設けられ、また、第２板部７１は、カバー５４と絶縁基板５５の孔５４ａ、５５ａより大きな外形を有し、中央部のＹ方向に長孔７１ａが設けられている。
【００１８】
そして、第１板部７０は絶縁基板５５上に配置されると共に、第２板部７１は、第１板部７０とカバー５４との間に配置されて、第１，第２板部７０，７１によって、カバー５４の孔５４ａの目隠し用としての機能を果たしており、操作部６４が孔７０ａと長孔７１ａを通って外方に突出している。
また、操作部材６２をスライド移動した際、第１板部７０は、操作部材６２の移動に追従して可動するが、第２板部７１は、操作部材６２のＸ方向の移動時のみ可動し、Ｙ方向の移動時は可動しないようになっている。
【００１９】
次に、従来の多方向入力装置の動作を説明すると、操作部６４を摘んで操作部材６２をスライド移動すると、これに追従して、Ｘ方向、Ｙ方向スライド部材５８，５９、及び摺動子６０，６１が移動し、その結果、Ｘ方向、Ｙ方向検出部材５６，５７が操作されて、Ｘ、Ｙ方向の座標が検出されるようになる。
【００２０】
そして、このような操作部材６２の動作は、図２８で示す移動範囲の中央の位置から図２９で示す移動範囲の末端の位置の間で行われる。
その間において、一対の摺動接点６６，６７の接触部６６ａ、６７ａは、それぞれ固定接点パターン５２，５３との接触が維持された状態となる。
【００２１】
次に、操作部６４を押圧すると、可動接点６８が変形して、中央部が接点部６７ｃに接触して、一対の摺動接点６６，６７間がＯＮ状態となり、その結果、固定接点パターン５２，５３間が導通した状態となる。
また、操作部６４の押圧を解除すると、可動接点５８は自己のバネ性により元の状態に戻って、一対の摺動接点６６，６７間がＯＦＦの状態となり、その結果、固定接点パターン５２，５３間が非導通の状態となる。
このスイッチ６５によって、例えば、座標位置の決定等を行うものである。
【００２２】
【発明が解決しようとする課題】
従来の多方向入力装置は、スイッチ６５による信号の検出が行えるが、操作部材６２の移動末端での信号の検出ができないという問題がある。
また、摺動子６０，６１は、Ｘ方向、Ｙ方向スライド部材５８，５９の片側のみに配置されているため、Ｘ方向、Ｙ方向スライド部材５８，５９のバランスが悪く傾きを生じ、操作部材６２のスムースな移動ができないという問題がある。
また、目隠し用の板状部材６９が絶縁基板５５上に載置されたものあるため、カバー５４の孔５４ａと板状部材６９の間から侵入した埃等は、絶縁基板５５上に落ち、この埃等が絶縁基板５５と板状部６９との間の平面部を経由して、絶縁基板５５の孔５５ａから固定接点パターン５２，５３上に侵入するという問題がある。
【００２３】
そこで、本発明は、操作部材の移動末端での信号の検出が行えると共に、操作性の良好な多方向入力装置を提供することを目的とする。
【００２４】
【課題を解決するための手段】
上記課題を解決するための第１の解決手段として、ハウジングと、このハウジングに対して平面的にＸ，Ｙ方向にスライド移動可能な操作部材と、この操作部材のＸ方向の移動によって操作されるＸ方向検出部材と、前記操作部材のＹ方向の移動によって操作されるＹ方向検出部材と、前記操作部材の移動範囲の末端、或いは末端近傍の位置で操作される末端検出部材とを備え、前記操作部材の操作時には、前記Ｘ方向、Ｙ方向検出部材が操作されると共に、前記移動範囲の末端、、或いは末端近傍に前記操作部材が移動した時には、前記末端検出部材が操作されるようにした構成とした。
【００２５】
また、第２の解決手段として、Ｘ方向にスライド可能なＸ方向スライド部材と、このＸ方向スライド部材に直交した状態で交差し、Ｙ方向にスライド可能なＹ方向スライド部材とを備え、前記Ｘ方向、Ｙ方向スライド部材は、前記操作部材の移動に追従して可動し、前記Ｘ方向、Ｙ方向スライド部材の移動によって、前記Ｘ方向検出部材と前記Ｙ方向検出部材、及び前記末端検出部材が操作されるようにした構成とした。
【００２６】
また、第３の解決手段として、前記末端検出部材は、第１，第２検出部材を有し、前記第１検出部材は、前記操作部材のＸ方向の移動による検出を行うと共に、前記第２検出部材は、前記操作部材のＹ方向の移動による検出を行い、前記第１，第２検出部材は、互いに直角状態で配置されると共に、前記Ｘ方向、Ｙ方向検出部材が互いに直角状態に配置されて、前記第１，第２検出部材、及び前記Ｘ方向、Ｙ方向検出部材は、前記操作部材の移動によって操作されるようにした構成とした。
【００２７】
また、第４の解決手段として、前記Ｘ方向スライド部材の一端側には前記Ｘ方向検出部材が配設されると共に、前記Ｘ方向スライド部材の他端側には前記第１検出部材が配設され、また、前記Ｙ方向スライド部材の一端側には前記Ｙ方向検出部材が配設されると共に、前記Ｙ方向スライド部材の他端側には前記第２検出部材が配設された構成とした。
【００２８】
また、第５の解決手段として、前記Ｘ方向、Ｙ方向検出部材は、それぞれ検出素子を設けた絶縁基板と、前記検出素子上を摺動する摺動子とで構成され、前記絶縁基板と前記摺動子の何れか一方が前記ハウジングに取り付けられ、他方が前記Ｘ方向、Ｙ方向スライド部材側に取り付けられた構成とした。
【００２９】
また、第６の解決手段として、前記Ｘ方向、Ｙ方向スライド部材側には、前記絶縁基板が取り付けられて、前記絶縁基板が前記Ｘ方向、Ｙ方向スライド部材と共に移動し、前記ハウジングには、前記検出素子上を摺動する前記摺動子が取り付けられた構成とした。
【００３０】
また、第７の解決手段として、前記末端検出部材は、検出素子を設けた絶縁基板と、前記検出素子上を摺動する摺動子とで構成され、前記絶縁基板と前記摺動子の何れか一方が前記ハウジングに取り付けられ、他方が前記Ｘ方向、Ｙ方向スライド部材側に取り付けられた構成とした。
【００３１】
また、第８の解決手段として、前記Ｘ方向、Ｙ方向スライド部材側には、前記絶縁基板が取り付けられて、前記絶縁基板が前記Ｘ方向、Ｙ方向スライド部材と共に移動し、前記ハウジングには、前記検出素子上を摺動する前記摺動子が取り付けられた構成とした。
【００３２】
また、第９の解決手段として、前記操作部材は、ダンパー部材を介して移動が停止するようにした構成とした。
【００３３】
また、第１０の解決手段として、前記ダンパー部材は、前記操作部材に設けられたバネ部材で構成され、前記バネ部材は、前記操作部材の移動範囲の末端近傍の位置で前記ハウジングに当接してから前記操作部材が停止するまでの間において変位するようにした構成とした。
【００３４】
また、第１１の解決手段として、前記ダンパー部材は、前記ハウジングに設けられたバネ部材で構成され、前記バネ部材は、前記操作部材の移動範囲の末端近傍の位置で前記操作部材、或いは前記Ｘ方向、Ｙ方向スライド部材側に当接してから前記操作部材が停止するまでの間において変位するようにした構成とした。
【００３５】
また、第１２の解決手段として、前記操作部材には、軸線方向に移動可能な操作部を設けると共に、この操作部の軸線方向の移動によって操作される押圧検出部材を備えた構成とした。
【００３６】
また、第１３の解決手段として、前記Ｘ方向、Ｙ方向スライド部材の上方を覆うカバーを有し、このカバーに設けた孔から前記操作部材の操作部が外方に突出すると共に、前記カバーと前記Ｘ方向、Ｙ方向スライド部材との間には、前記孔を塞ぐ板状部材と、この板状部材の後方に位置する板状の防塵部材とを配置し、前記防塵部材には、前記操作部の周囲を囲んだ状態で、前記板状部材の後面に当接する環状の凸条部を設けた構成とした。
【００３７】
【発明の実施の形態】
本発明の多方向入力装置の図面を説明すると、図１は本発明の多方向入力装置の第１実施例に係る分解斜視図、図２は本発明の多方向入力装置の第１実施例に係り、Ｘ方向スライド部材の状態を示す要部断面図、図３は本発明の多方向入力装置の第１実施例に係り、Ｙ方向スライド部材の状態を示す要部断面図、図４は本発明の多方向入力装置の第１実施例に係り、ハウジングの平面図である。
【００３８】
また、図５は本発明の多方向入力装置の第１実施例に係り、Ｘ方向、Ｙ方向スライド部材と操作部との関係を示す平面図、図６は本発明の多方向入力装置の第１実施例に係り、Ｘ方向、Ｙ方向スライド部材と操作部との関係を示す裏面図、図７は本発明の多方向入力装置の第１実施例に係り、Ｘ方向、Ｙ方向スライド部材と操作部との関係を示す斜視図である。
【００３９】
また、図８は本発明の多方向入力装置の第１実施例に係り、Ｘ方向、Ｙ方向スライド部材と操作部材との関係を示す平面図、図９は本発明の多方向入力装置の第１実施例に係り、Ｘ方向、Ｙ方向スライド部材と操作部材との関係を示す裏面図、図１０は本発明の多方向入力装置の第１実施例に係り、Ｘ方向、Ｙ方向スライド部材と操作部材との関係を示す斜視図である。
【００４０】
また、図１１は本発明の多方向入力装置の第１実施例に係り、ハウジングにＸ方向、Ｙ方向スライド部材が組み込まれた状態を示す平面図、図１２は本発明の多方向入力装置の第１実施例に係り、保持体の平面図、図１３は図１２の１３−１３線における断面図、図１４は図１２の１４−１４線における断面図である。
【００４１】
また、図１５は本発明の多方向入力装置の第１実施例に係り、Ｘ方向、Ｙ方向検出部材を示す平面図、図１６は本発明の多方向入力装置の第１実施例に係り、末端検出部材を示す平面図、図１７は本発明の多方向入力装置の第１実施例に係り、ダンパー部材がハウジングに当接した状態を示す平面図、図１８は本発明の多方向入力装置の第１実施例に係り、ダンパー部材が変位して、操作部材の移動が停止した状態を示す平面図、図１９は本発明の多方向入力装置の第１実施例に係り、ダンパー部材の押し込み量と荷重との関係を示すグラフである。
【００４２】
また、図２０は本発明の多方向入力装置の第２実施例に係り、Ｘ方向、Ｙ方向検出部材と末端検出部材を示す平面図、図２１は本発明の多方向入力装置の第３実施例に係り、ダンパー部材の構成を示す平面図、図２２は本発明の多方向入力装置の第４実施例に係り、ダンパー部材の構成を示す平面図、図２３は本発明の多方向入力装置の第５実施例に係り、防塵構造を示す要部断面図、図２４は本発明の多方向入力装置の第６実施例に係り、防塵構造を示す要部の分解斜視図、図２５は本発明の多方向入力装置の第６実施例に係り、防塵構造を示す要部の断面図である。
【００４３】
次に、本発明の多方向入力装置の第１実施例の構成を図１〜図１９に基づいて説明すると、絶縁樹脂の成型品からなる箱形のハウジング１は、底壁１ａと、この底壁１ａの四方の外周部から上方に延びる側壁１ｂと、斜向かいの一対の隅部に設けられた短い突起１ｃと、斜向かいのもう一対の隅部に設けられた長い突起１ｄと、４個の側壁１ｂの近傍に位置する底壁１ａに設けられた４個の矩形状の孔１ｅと、対向する一対の側壁１ｂの外面に設けられた係止突部１ｆと、底壁１ａから下方に突出する複数個の凸部１ｇとを有する。
そして、長い突起１ｄは、多方向入力装置が電子機器に組み込まれる際の位置決めとして用いられると共に、下部の突部１ｇは、電子機器の回路基板上に多方向入力装置を載置する際の位置決め用として使用される。
【００４４】
金属板からなる一対の固定接点パターン２，３は、矩形状の平面的な摺接部２ａ、３ａと、それぞれの摺接部２ａ、３ａと繋がった２個の端子部２ｂ、３ｂとを有する。
そして、この固定接点パターン２，３は、ハウジング１に埋設されて取り付けられ、平面的な摺動部２ａ、３ａが互いに絶縁した状態で底壁１ａ上に露出し、端子部２ｂ、３ｂがそれぞれハウジング１から外方に突出している。
【００４５】
バネ性ある金属板からなる４個の第１，第２，第３，第４摺動子４，５，６，７は、それぞれ複数個の摺動部４ａ、５ａ、６ａ、７ａと、この摺動部４ａ、５ａ、６ａ、７ａに繋がった端子部４ｂ、５ｂ、６ｂ、７ｂとを有する。
そして、これ等の４個の第１，第２，第３，第４摺動子４，５，６，７は、それぞれハウジング１に埋設されて取り付けられ、摺動部４ａ、５ａ、６ａ、７ａは孔１ｅ内に位置した状態で、孔１ｅから上方に突出し、また、端子部４ｂ、５ｂ、６ｂ、７ｂは、それぞれハウジング１から外方に突出している。
また、第１，第２，第３，第４摺動子４，５，６，７が埋設された際、第１，第２摺動子４，５は互いに対向する位置に配置されると共に、第３，第４摺動子６，７は互いに対向する位置に配置されている。
【００４６】
板材からなるカバー８は、四角形の上面板８ａと、この上面板８ａの中央部に設けられた四角状の孔８ｂと、上面板８ａの４隅に設けられた円形の孔８ｃと、上面板８ａの四方から下方に折り曲げられた側面板８ｄと、対向する一対の側面板８ｄに設けられた係止孔８ｅと、対向するもう一対の側面板８ｄに設けられた取付脚８ｆとを有する。
【００４７】
このカバー８は、上面板８ａがハウジング１の上方の開放部を覆うように配置され、係止孔８ｅ内にハウジング１の係止突起１ｆをスナップ係合させて、ハウジング１に取り付けられ、このカバー８とハウジング１とによって、一つの筺体が形成されている。
また、取付脚８ｆは、電子機器の回路基板に挿入、掛け止めされた状態で配線パターンに半田付けされて、多方向入力装置の取付を行うものである。
【００４８】
金属板等からなるＸ方向スライド部材９は、中心部の長手方向に長孔９ａを有し、このＸ方向スライド部材９は、Ｘ方向にスライド移動可能に、ハウジング１内に取り付けられている。
また、金属板等からなるＹ方向スライド部材１０は、中心部の長手方向に長孔１０ａを有し、このＹ方向スライド部材１０は、Ｙ方向にスライド移動可能に、ハウジング１内に取り付けられいる。
【００４９】
そして、Ｘ方向、Ｙ方向スライド部材９，１０は、互いに直交した状態で交差状態で配置され、Ｘ方向スライド部材９の両端側には、絶縁材からなる第１，第２保持部材１１，１２が取り付けられると共に、Ｙ方向スライド部材１０の両端側には、絶縁材からなる第３，第４保持部材１３，１４が取り付けられている。
また、Ｘ方向、及びＹ方向スライド部材９，１０に取り付けられる第１、第２，第３，第４保持部材１１，１２，１３，１４の一方は、保持部材の孔内へ側方から軽圧入によって結合されているが、他方は、熱カシメ等によって強固に結合されている。
これにより、熱カシメした側の保持部材を基準として、他方の軽圧入した保持部材がスライド時にならうので、多少の取付誤差があってもスムーズにスライド移動できる。
【００５０】
絶縁基板１５は、特に図１５に示すように、矩形状をなし、この絶縁基板１５の一面には、検出素子１６が形成されている。
この検出素子１６は、中央部に位置する帯状の抵抗体１６ａと、この抵抗体１６ａの両端に接続され、抵抗体１６ａと並設された二つの導電体１６ｂ（ハッチング部分）とで構成されると共に、この検出素子１６は、Ｘ、Ｙ方向の座標位置を検出するために使用される。
【００５１】
この絶縁基板１５は、第１，第３保持部材１１，１３に掛け止めする等の適宜手段により取り付けられ、第１保持部材１１に取り付けられた絶縁基板１５上の検出素子１６には、第１摺動子４の３本の摺動部４ａが摺動可能となって、Ｘ方向検出部材１７が構成され、また、第３保持部材１３に取り付けられた絶縁基板１５上の検出素子１６には、第３摺動子６の３本の摺動部６ａが摺動可能となって、Ｙ方向検出部材１８が構成される。
【００５２】
そして、このＸ方向、Ｙ方向検出部材１７，１８によって、Ｘ、Ｙ方向の座標位置が検出され、Ｘ方向検出部材１７は、第１摺動子４の端子部４ｂから取り出されると共に、Ｙ方向検出部材１８は、第３摺動子６の端子部６ｂから取り出される。
また、Ｘ方向、Ｙ方向検出部材１７，１８は、互いに直角状態で配置されている。
なお、この検出素子１６は、抵抗体以外に、パルスを発生する導電パターン等を使用しても良い。
【００５３】
絶縁基板１９は、特に図１６に示すように、絶縁基板１５とほぼ同一外形サイズの矩形状をなし、この絶縁基板１９の一面には、検出素子２０が形成されている。
この検出素子２０は、絶縁基板１９の両端部に設けられたコ字状の導電体２０ａ（ハッチング部分）で構成され、この検出素子２０は、Ｘ、Ｙ方向の移動範囲の末端を検出するために使用される。
なお、検出素子２０は、Ｘ、Ｙ方向の座標位置検出時の信号が末端位置においても途切れることがないよう、検出素子１６の両端位置と並設して重なるように対応させて配置されている。
【００５４】
そして、この絶縁基板１９は、第２，第４保持部材１２，１４に掛け止めする等の適宜手段により取り付けられ、第２保持部材１２に取り付けられた絶縁基板１９上の検出素子２０には、第２摺動子５の摺動部５ａが摺動可能となって、Ｘ方向の末端検出部材２１が構成され、また、第４保持部材１４に取り付けられた絶縁基板１９上の検出素子２０には、第４摺動子７の摺動部７ａが摺動可能となって、Ｙ方向の末端検出部材２２が構成される。
【００５５】
即ち、導電体２０ａのそれぞれには、３本の摺動部５ａ、７ａの内の２本が接触して、信号が検出され、Ｘ方向の末端検出部材２１は、第２摺動子５の端子部５ｂから取り出されると共に、Ｙ方向の末端検出部材２２は、第４摺動子７の端子部７ｂから取り出される。
また、Ｘ、Ｙ方向の末端検出部材２１，２２は、摺動方向がＸ方向、Ｙ方向検出部材１７，１８に平行になるように配置されると共に、互いに直角状態で配置されている。
なお、この検出素子２０は、導電体以外に、抵抗体等を使用しても良い。
【００５６】
なお、Ｘ方向、Ｙ方向検出部材１７，１８，及び末端検出部材２１，２２は、摺動子を固定側とし、絶縁基板を可動側にしたもので説明したが、両者を反対にして、摺動子を可動側とし、絶縁基板を固定側にしても良い。
【００５７】
操作部材２３は、絶縁樹脂の成型品からなる保持体２４と、この保持体２４に取り付けられる取付部２５と、保持体２４と取付部２５とで移動可能に保持された操作部２６とで構成されている。
【００５８】
保持体２４は、特に図１２〜図１４に示すように、四角状の鍔状部２４ａと、この鍔状部２４ａから上方に延びる４つの筒状部２４ｂと、中心部に設けられた収納部２４ｃと、鍔状部２４ａの四方に設けられた４個の弾性腕部からなるダンパー部材２７とで構成されおり、この保持体２４は、鍔状部２４ａが底壁１ａ上に載置された状態で配置されている。
【００５９】
板状の取付部２５は、保持体２４の筒状部２４ｂ上に位置した状態で、保持体２４に設けた突起を熱カシメする等の手段により、取付部２５が保持体２４に取り付けられる。
この時、取付部２５と保持体２４は、Ｘ方向、Ｙ方向スライド部材９，１０を上下から挟むように配置された状態となっている。
そして、Ｘ方向、Ｙ方向スライド部材９，１０は、それぞれの長手方向が対向する筒状部２４ｂの壁面間にスライド可能に位置規制されている。
【００６０】
また、絶縁樹脂の成型品からなる操作部２６は、特に図５〜図７に示すように、十字状に延びる係合部２６ａと、この係合部２６ａの中心から上方に延びる摘み部２６ｂと、係合部２６ａの中心から下方に延び、下面に半円球状の凸部を設けた押圧部２６ｃとを有する。
【００６１】
そして、この操作部２６は、保持体２４と取付部２５との間に係合部２６ａを位置した状態で、軸線方向に移動可能に取り付けられる。
この時、十字状の係合部２６ａは、Ｘ方向、Ｙ方向スライド部材９，１０の長孔９ａ、１０ａ内に係合すると共に、押圧部２６ｃは、長孔９ａ、１０ａの交差部を貫通した状態となっている。
【００６２】
そして、このような操作部材２３は、摘み部２６ｂがカバー８の孔８ｂを通って外部に突出すると共に、ハウジング１に対して平面的にスライド移動可能となり、この操作部材２３の移動時、筒状部２４ｂによってＸ方向、Ｙ方向スライド部材９，１０を案内して、これを移動すると共に、絶縁基板１５，１９も共に移動し、その結果、絶縁基板１５の移動によって、Ｘ方向、Ｙ方向検出部材１７，１８が操作されるようになる。
【００６３】
また、操作部材２３の移動範囲の末端近傍においては、ダンパー部材２７がハウジング１の側壁１ｂに当接して、弾性腕部の撓みにより操作荷重が増して、操作者の手指を介して末端位置であることを知覚させると共に、絶縁基板１９の移動によって、Ｘ、Ｙ方向の末端検出部材２１，２２が操作されて、操作部材２３の移動範囲の末端での信号が検出される。
【００６４】
図１９のグラフを基にして、末端検出動作を説明すると、操作部材２３に設けられたダンパー部材２７が側壁１ｂに当接した位置Ａから、操作力が徐々に増加して、位置Ｂで末端検出部材２１，２２が動作し、そして、保持体２４の鍔状部２４ａが側壁１ｂにぶつかった位置Ｃで、操作部材２３の移動が停止されるようになっている。
【００６５】
なお、末端検出部材２１，２２が動作は、位置Ａから位置Ｃの範囲中に行うようにしても良い。
【００６６】
プッシュ型のスイッチ２８は、特に図２、図１２〜図１４に示すように、一対の摺動接点２９，３０と、この一対の摺動接点２９，３０間をＯＮ、ＯＦＦするドーム状の可動接点３１とで構成されている。
【００６７】
この一対の摺動接点２９，３０は、それぞれ接触部２９ａ、３０ａと、この接触部２９ａ、３０ａを支持する板状の支持部２９ｂ、３０ｂと、この支持部２９ｂ、３０ｂに繋がれた接点部２９ｃ、３０ｃとを有する。
そして、一対の摺動接点２９，３０は、保持体２４に埋設して取り付けられ、接触部２９ａ、３０ａが下方に突出した状態で、板状の支持部２９ｂ、３０ｂが保持体２４内に埋設されると共に、接点部２９ｃ、３０ｃが筒状部２４ｂの底面に露出した状態となっている。
【００６８】
この時、保持体２４の下面には、接触部２９ａ、３０ａのみが露出し、支持部２９ｂ、３０ｂは、保持体２４内に位置して、支持部２９ｂ、３０ｂと保持体２４の下面との間には、保持体２４の一部で構成される絶縁部材３２が介在した状態となっている。
【００６９】
また、可動接点３１は、操作部２６によって押圧可能に収納部２４ｃ内に収納されて、周辺部が接点部３０ｃに常時接触すると共に、中央部が接点部２９ｃに接離可能に配置されており、操作部２６が押圧された際、可動接点３１が変形して、中央部が接点部２９ｃに接触して、一対の摺動接点２９，３０間をＯＮ状態とし、また、操作部２６の押圧を解除すると、可動接点３１は自己のバネ性により元の状態に戻って、一対の摺動接点２９，３０間がＯＦＦの状態となる。
【００７０】
このような構成を有するスイッチ２８は、操作部材２３が筺体に取り付けられた際、板状の支持部２９ｂ、３０ｂがそれぞれ固定接点パターン２，３と対向し、且つ、絶縁部材３２を介して絶縁された状態で配置されると共に、接触部２９ａ、３０ａがそれぞれ固定接点パターン２，３に接触した状態となる。
【００７１】
そして、一方の接触部２９ａは、操作部材２３の移動範囲内において、一方の固定接点パターン２との接触が離れることが無く、また、他方の接触部３０ａは、操作部材２３の移動範囲内において、他方の固定接点パターン３との接触が離れることが無いようになっており、このため、操作部材２３の移動範囲内においては、スイッチ２８のＯＮ、ＯＦＦの信号が端子部２ｂ、３ｂから引き出せるようになっている。
【００７２】
なお、この実施例では、一対の摺動接点２９，３０の支持部２９ｂ、３０ｂが保持体２４に埋設され、保持体２４の一部からなる絶縁部材３２によって、支持部２９ｂ、３０ｂは、固定接点パターン２，３との間が絶縁されたもので説明したが、保持体２４の下面に絶縁シートを設け、この絶縁シートの孔から接触部２９ａ、３０ａを突出させ、接触部２９ａ、３０ａ以外の箇所を絶縁シートで覆って、固定接点パターン２，３との絶縁を図っても良い。
【００７３】
また、保持体２４の下面に絶縁膜を設け、この絶縁膜の孔から接触部２９ａ、３０ａを突出させ、接触部２９ａ、３０ａ以外の箇所を絶縁膜で覆って、固定接点パターン２，３との絶縁を図っても良い。
【００７４】
中央に開口を有する板材からなる押さえ部材３３は、ハウジング１に取り付けられ、Ｘ方向、Ｙ方向スライド部材９，１０の浮き上がりを防止している。
また、板材からなる板状部材３４は、第１，第２、第３板部３５，３６，３７で構成され、第１板部３５は、カバー８の孔８ｂより大きな外形を有し、中央部のＹ方向に長孔３５ａが設けられ、また、第２板部３６は、カバー８の孔８ｂより大きな外形を有し、中央部に摘み部２６ｂと同等の大きさの孔３６ａが設けられ、更に、第３板部３７は、カバー８の孔８ｂより大きな外形を有し、中央部のＸ方向に長孔３７ａが設けられている。
【００７５】
そして、第１板部３５は押さえ部３３上に配置されると共に、第２板部３６は、第１板部３５上に配置され、更に、第３板部３７は、カバー８と第２板部３６との間に配置され、これ等の第１，第２、第３板部３５，３６，３７によって、カバー８の孔８ｂの目隠し用としての機能を果たしており、操作部２６の摘み部２６ｂが長孔３５ａ、３７ａ、及び孔３６ａを通って外方に突出している。
【００７６】
また、操作部材２３をスライド移動した際、Ｙ方向の移動に際しては、第１、第２板部３５，３６が操作部材２３の移動に追従して可動し、また、Ｘ方向移動に際しては、第２、第３板部３６、３７が操作部材２３の移動に追従して可動するようになる。
【００７７】
次に、本発明の多方向入力装置の動作を説明すると、操作部２６の摘み部２６ｂを摘んで操作部材２３をスライド移動すると、これに追従して、Ｘ方向、Ｙ方向スライド部材９，１０、及び絶縁基板１５，１９が移動し、その結果、Ｘ方向、Ｙ方向検出部材１７，１８が操作されて、Ｘ、Ｙ方向の座標が検出されるようになる。
【００７８】
そして、操作部材２３が移動範囲の末端近傍になると、図１７に示すように、ダンパー部材２７が側壁１ｂに当接し、また、ダンパー部材２７の弾性に抗して更に移動を続けると、図１８に示すように、保持体２４が側壁１ｂにぶつかって、操作部材２３の移動が停止する。
【００７９】
その間において、Ｘ方向の移動に際しては、Ｘ方向の末端検出部材２１が操作れて、Ｘ方向の末端の検出が行われ、また、Ｙ方向の移動に際しては、Ｙ方向の末端検出部材２２が操作されて、Ｙ方向の末端の検出が行われるようになる。
なお、この末端検出時においても、Ｘ方向、Ｙ方向の検出部材の座標検出の信号が途切れることがない。
更に、操作部材２３の移動範囲において、一対の摺動接点２９，３０の接触部２９ａ、３０ａは、それぞれ固定接点パターン２，３との接触が維持された状態となる。
また、本実施例おいては、Ｘ、Ｙ方向の検出部材と、末端検出部材をスライド部材の両端側に振り分けて設けたので、バランスが良く、スライド方向への移動をスムーズに行うことができる。
また、絶縁基板を可動する操作部材側に対して、ハウジング側に固定された摺動子を上向きに設けたので、塵埃や水滴が侵入したとしても、絶縁基板上に堆積することがなく、信頼性の高い検出を行える。
【００８０】
次に、操作部２６を押圧すると、可動接点３１が変形して、中央部が接点部２９ｃに接触して、一対の摺動接点２９，３０間がＯＮ状態となり、その結果、固定接点パターン２，３間が導通した状態となる。
また、操作部２６の押圧を解除すると、可動接点３１は自己のバネ性により元の状態に戻って、一対の摺動接点２９，３０間がＯＦＦの状態となり、その結果、固定接点パターン２，３間が非導通の状態となる。
このスイッチ２８によって、例えば、座標位置の決定等を行うものである。
【００８１】
また、図２０は本発明の第２実施例を示し、この第２実施例は、Ｘ，Ｙ方向の座標を検出するための検出素子１６と、末端位置を検出するための検出素子２０が一枚の絶縁基板４０に設けられたものである。
この場合、Ｘ方向、Ｙ方向スライド部材９，１０の一端側には、この絶縁基板４０が直角状態で取り付けられて、それぞれＸ、Ｙ方向の検出を行うと共に、Ｘ、Ｙ方向の末端の検出を行うものである。
この第２実施例においても、検出素子１６と検出素子２０の配置関係は第１実施例と同様であり、両者はスライド方向に互いに平行に、且つ、末端検出時に座標検出が途切れないよう、対応づけて配置している。
【００８２】
また、図２１は本発明の第３実施例を示し、この第３実施例は、ダンパー部材２７ａ，２７ｂが固定側であるハウジング１に設けられたものである。
そして、弾性腕部からなるダンパー部材２７ａは、操作部材２３とぶつかるようになり、また、コイルバネ等からなるダンパー部材２７ｂは、Ｘ方向、Ｙ方向スライド部材９，１０側にぶつかるようになっている。
なお、このダンパー部材２７ａ、２７ｂは、何れか一方でも良い。
【００８３】
また、図２２は本発明の第４実施例を示し、この第４実施例は、第１実施例の弾性腕部からなるダンパー部材２７に代えて、バネ性ある金属板を操作部材２３に取り付けて、ダンパー部材２７を構成したものである。
【００８４】
また、図２３は本発明の第５実施例を示し、この第５実施例は、板状からなる防塵部材４１に環状の凸条部４１ａを設け、この防塵部材４１が板状部材３４の後面に配置され、凸条部４１ａが板状部材３４に当接した状態で、この凸条部４１ａが操作部２６の摘み部２６ｂの外周を囲むようにしたものである。
【００８５】
このような構成にすると、カバー８の孔８ｂと板状部材３４の間から侵入した埃等は、防塵部材４１上に落ち、この埃等が凸条部４１ａで遮られて、固定接点パターン２，３上に侵入することがない。
【００８６】
また、図２４，図２５は本発明の第６実施例を示し、この第６実施例は、カバー８の孔８ｂを塞ぐ板状部材４２と、この板状部材４２の後面に配置され、環状の凸条部４３ａを有する防塵部材４３とで構成されたものである。
そして、防塵部材４３の凸条部４３ａが板状部材４２に当接した状態で、この凸条部４３ａが操作部２６の摘み部２６ｂの外周を囲むようにしたものである。
【００８７】
このような構成にすると、カバー８の孔８ｂと板状部材４２の間から侵入した埃等は、防塵部材４３上に落ち、この埃等が凸条部４３ａで遮られて、固定接点パターン２，３上に侵入することがない。
【００８８】
【発明の効果】
本発明の多方向入力装置は、ハウジングと、このハウジングに対して平面的にＸ，Ｙ方向にスライド移動可能な操作部材と、この操作部材のＸ方向の移動によって操作されるＸ方向検出部材と、操作部材のＹ方向の移動によって操作されるＹ方向検出部材と、操作部材の移動範囲の末端、或いは末端近傍の位置で操作される末端検出部材とを備え、操作部材の操作時には、Ｘ方向、Ｙ方向検出部材が操作されると共に、移動範囲の末端、或いは末端近傍に操作部材が移動した時には、末端検出部材が操作されるようにした構成とした。
この構成によって、操作部材の移動範囲の末端、或いは末端近傍の位置で、信号を検出できて、この検出を種々の機能に利用できる。
【００８９】
また、Ｘ方向にスライド可能なＸ方向スライド部材と、このＸ方向スライド部材に直交した状態で交差し、Ｙ方向にスライド可能なＹ方向スライド部材とを備え、Ｘ方向、Ｙ方向スライド部材は、操作部材の移動に追従して可動し、Ｘ方向、Ｙ方向スライド部材の移動によって、Ｘ方向検出部材とＹ方向検出部材、及び末端検出部材が操作されるようにしたため、その構成が簡単で、操作の確実なものが得られる。
【００９０】
また、末端検出部材は、第１，第２検出部材を有し、第１検出部材は、操作部材のＸ方向の移動による検出を行うと共に、第２検出部材は、操作部材のＹ方向の移動による検出を行い、第１，第２検出部材は、互いに直角状態で配置されると共に、Ｘ方向、Ｙ方向検出部材が互いに直角状態に配置されて、第１，第２検出部材、及びＸ方向、Ｙ方向検出部材は、操作部材の移動によって操作されるようにしたため、Ｘ、Ｙ方向と操作部材の末端での検出を確実に行うことができる。
【００９１】
また、Ｘ方向スライド部材の一端側にはＸ方向検出部材が配設されると共に、Ｘ方向スライド部材の他端側には第１検出部材が配設され、また、Ｙ方向スライド部材の一端側にはＹ方向検出部材が配設されると共に、Ｙ方向スライド部材の他端側には第２検出部材が配設されたため、その構成が簡単で、操作の確実なものが得られると共に、摺動子の押圧がバランス良くなって、操作性の良好なものが得られる。
【００９２】
また、Ｘ方向、Ｙ方向検出部材は、それぞれ検出素子を設けた絶縁基板と、検出素子上を摺動する摺動子とで構成され、絶縁基板と摺動子の何れか一方がハウジングに取り付けられ、他方がＸ方向、Ｙ方向スライド部材側に取り付けられたため、その構成が簡単で、操作の確実なものが得られる。
【００９３】
また、Ｘ方向、Ｙ方向スライド部材側には、絶縁基板が取り付けられて、絶縁基板がＸ方向、Ｙ方向スライド部材と共に移動し、ハウジングには、検出素子上を摺動する摺動子が取り付けられたため、検出の取り出しが簡単で、生産性の良いものが得られる。
【００９４】
また、末端検出部材は、検出素子を設けた絶縁基板と、検出素子上を摺動する摺動子とで構成され、絶縁基板と摺動子の何れか一方がハウジングに取り付けられ、他方がＸ方向、Ｙ方向スライド部材側に取り付けられたため、その構成が簡単で、操作の確実なものが得られる。
【００９５】
また、Ｘ方向、Ｙ方向スライド部材側には、絶縁基板が取り付けられて、絶縁基板がＸ方向、Ｙ方向スライド部材と共に移動し、ハウジングには、検出素子上を摺動する摺動子が取り付けられたため、検出の取り出しが簡単で、生産性の良いものが得られる。
【００９６】
また、操作部材は、ダンパー部材を介して移動が停止するようにしたため、操作感触の変化によって操作者に操作部材の末端位置への近接を知覚させることができる。
【００９７】
また、ダンパー部材は、操作部材に設けられたバネ部材で構成され、バネ部材は、操作部材の移動範囲の末端近傍の位置でハウジングに当接してから操作部材が停止するまでの間において変位するようにしたため、その構成が簡単で、末端検出部材の操作の確実なものが得られる。
【００９８】
また、ダンパー部材は、ハウジングに設けられたバネ部材で構成され、バネ部材は、操作部材の移動範囲の末端近傍の位置で操作部材、或いはＸ方向、Ｙ方向スライド部材側に当接してから操作部材が停止するまでの間において変位するようにしたため、その構成が簡単で、末端検出部材の操作の確実なものが得られる。
【００９９】
また、操作部材には、軸線方向に移動可能な操作部を設けると共に、この操作部の軸線方向の移動によって操作される押圧検出部材を備えたため、末端検出部材の他に信号の検出を行うことができて好適である。
【０１００】
また、Ｘ方向、Ｙ方向スライド部材の上方を覆うカバーを有し、このカバーに設けた孔から操作部材の操作部が外方に突出すると共に、カバーとＸ方向、Ｙ方向スライド部材との間には、孔を塞ぐ板状部材と、この板状部材の後方に位置する板状の防塵部材とを配置し、防塵部材には、操作部の周囲を囲んだ状態で、板状部材の後面に当接する環状の凸条部を設けたため、固定接点パターンへの埃等の侵入が無く、確実な操作を行うことができる。
【図面の簡単な説明】
【図１】本発明の多方向入力装置の第１実施例に係る分解斜視図。
【図２】本発明の多方向入力装置の第１実施例に係り、Ｘ方向スライド部材の状態を示す要部断面図。
【図３】本発明の多方向入力装置の第１実施例に係り、Ｙ方向スライド部材の状態を示す要部断面図。
【図４】本発明の多方向入力装置の第１実施例に係り、ハウジングの平面図。
【図５】本発明の多方向入力装置の第１実施例に係り、Ｘ方向、Ｙ方向スライド部材と操作部との関係を示す平面図。
【図６】本発明の多方向入力装置の第１実施例に係り、Ｘ方向、Ｙ方向スライド部材と操作部との関係を示す裏面図。
【図７】本発明の多方向入力装置の第１実施例に係り、Ｘ方向、Ｙ方向スライド部材と操作部との関係を示す斜視図。
【図８】本発明の多方向入力装置の第１実施例に係り、Ｘ方向、Ｙ方向スライド部材と操作部材との関係を示す平面図。
【図９】本発明の多方向入力装置の第１実施例に係り、Ｘ方向、Ｙ方向スライド部材と操作部材との関係を示す裏面図。
【図１０】本発明の多方向入力装置の第１実施例に係り、Ｘ方向、Ｙ方向スライド部材と操作部材との関係を示す斜視図。
【図１１】本発明の多方向入力装置の第１実施例に係り、ハウジングにＸ方向、Ｙ方向スライド部材が組み込まれた状態を示す平面図。
【図１２】本発明の多方向入力装置の第１実施例に係り、保持体の平面図。
【図１３】図１２の１３−１３線における断面図。
【図１４】図１２の１４−１４線における断面図。
【図１５】本発明の多方向入力装置の第１実施例に係り、Ｘ方向、Ｙ方向検出部材を示す平面図。
【図１６】本発明の多方向入力装置の第１実施例に係り、末端検出部材を示す平面図。
【図１７】本発明の多方向入力装置の第１実施例に係り、ダンパー部材がハウジングに当接した状態を示す平面図。
【図１８】本発明の多方向入力装置の第１実施例に係り、ダンパー部材が変位して、操作部材の移動が停止した状態を示す平面図。
【図１９】本発明の多方向入力装置の第１実施例に係り、ダンパー部材の押し込み量と荷重との関係を示すグラフ。
【図２０】本発明の多方向入力装置の第２実施例に係り、Ｘ方向、Ｙ方向検出部材と末端検出部材を示す平面図。
【図２１】本発明の多方向入力装置の第３実施例に係り、ダンパー部材の構成を示す平面図。
【図２２】本発明の多方向入力装置の第４実施例に係り、ダンパー部材の構成を示す平面図。
【図２３】本発明の多方向入力装置の第５実施例に係り、防塵構造を示す要部断面図。
【図２４】本発明の多方向入力装置の第６実施例に係り、防塵構造を示す要部の分解斜視図。
【図２５】本発明の多方向入力装置の第６実施例に係り、防塵構造を示す要部の断面図。
【図２６】従来の多方向入力装置の分解斜視図。
【図２７】従来の多方向入力装置に係り、操作部材の構成を示す断面図。
【図２８】従来の多方向入力装置に係り、操作部材が中央部に位置した状態における操作部材と固定接点パターンとの関係を示す要部平面図。
【図２９】従来の多方向入力装置に係り、操作部材が中央部から移動した状態における操作部材と固定接点パターンとの関係を示す要部平面図。
【図３０】従来の多方向入力装置に係り、絶縁基板の裏面図。
【符号の説明】
１　ハウジング
１ａ　底壁
１ｂ　側壁
１ｃ　突起
１ｄ　突起
１ｅ　孔
１ｆ　係止突部
１ｇ　凸部
２　固定接点パターン
２ａ　摺動部
２ｂ　端子部
３　固定接点パターン
３ａ　摺動部
３ｂ　端子部
４　第１摺動子
４ａ　摺動部
４ｂ　端子部
５　第２摺動子
５ａ　摺動部
５ｂ　端子部
６　第３摺動子
６ａ　摺動部
６ｂ　端子部
７　第４摺動子
７ａ　摺動部
７ｂ　端子部
８　カバー
８ａ　上面板
８ｂ　孔
８ｃ　孔
８ｄ　側面板
８ｅ　係止孔
８ｆ　取付脚
９　Ｘ方向スライド部材
９ａ　長孔
１０　Ｙ方向スライド部材
１０ａ　長孔
１１　第１保持部材
１２　第２保持部材
１３　第３保持部材
１４　第４保持部材
１５　絶縁基板
１６　検出素子
１６ａ　抵抗体
１６ｂ　導電体
１７　Ｘ方向検出部材
１８　Ｙ方向検出部材
１９　絶縁基板
２０　検出素子
２０ａ　導電体
２１　Ｘ方向の末端検出部材
２２　Ｙ方向の末端検出部材
２３　操作部材
２４　保持体
２４ａ　鍔状部
２４ｂ　筒状部
２４ｃ　収納部
２５　取付部
２６　操作部
２６ａ　係合部
２６ｂ　摘み部
２６ｃ　押圧部
２７　ダンパー部材
２８　スイッチ
２９　摺動接点
２９ａ　接触部
２９ｂ　支持部
２９ｃ　接点部
３０　摺動接点
３０ａ　接触部
３０ｂ　支持部
３０ｃ　接点部
３１　可動接点
３２　絶縁部材
３３　押さえ部材
３４　板状部材
３５　第１板部
３５ａ　長孔
３６　第２板部
３６ａ　孔
３７　第３板部
３７ａ　長孔
４０　絶縁基板
４１　防塵部材
４１ａ　凸条部
４２　板状部材
４３　防塵部材
４３ａ　凸条部
【図１】
2004021790.tif 000003
【図２】
2004021790.tif 000004
【図３】
2004021790.tif 000005
【図４】
2004021790.tif 000006
【図５】
2004021790.tif 000007
【図６】
2004021790.tif 000008
【図７】
2004021790.tif 000009
【図８】
2004021790.tif 000010
【図９】
2004021790.tif 000011
【図１０】
2004021790.tif 000012
【図１１】
2004021790.tif 000013
【図１２】
2004021790.tif 000014
【図１３】
2004021790.tif 000015
【図１４】
2004021790.tif 000016
【図１５】
2004021790.tif 000017
【図１６】
2004021790.tif 000018
【図１７】
2004021790.tif 000019
【図１８】
2004021790.tif 000020
【図１９】
2004021790.tif 000021
【図２０】
2004021790.tif 000022
【図２１】
2004021790.tif 000023
【図２２】
2004021790.tif 000024
【図２３】
2004021790.tif 000025
【図２４】
2004021790.tif 000026
【図２５】
2004021790.tif 000027
【図２６】
2004021790.tif 000028
【図２７】
2004021790.tif 000029
【図２８】
2004021790.tif 000030
【図２９】
2004021790.tif 000031
【図３０】
2004021790.tif 000032